(57)【要約】【課題】低輝度領域における各画素についても、当該画素を当該画素に適切な色で表示することができる表示装置および表示方法を提供する。【解決手段】表示装置１００は、表示パネル１０６と、映像信号を取得する取得部１１０と、表示パネルの表示特性に応じた色変換を行うための三次元ＬＵＴ２１０を記憶している記憶部１２０と、三次元ＬＵＴ２１０を用いて、低輝度画素が示す画素値を三次元ＬＵＴにおいて変換される画素値よりも、大きい値に変換する第１三次元ＬＵＴ２２０と、小さい値に変換する第２三次元ＬＵＴ２３０とを生成する生成部１３０と、第１フレームおよび第２フレームに対して、それぞれ、第１色変換および第２色変換をＮ枚のフレーム毎に繰り返し行う変換部１４０と、変換部１４０により順次出力された複数の変換後フレームを表示パネル１０６に順次表示させる表示制御部１５０と、を備える。【選択図】図３
2020106641.tif 000002
【特許請求の範囲】
【請求項１】
表示パネルと、
映像を示す映像信号を取得する取得部と、
映像を構成する複数のフレームのそれぞれに対して前記表示パネルの表示特性に応じた色変換を行うための三次元ルックアップテーブルを記憶している記憶部と、
前記記憶部に記憶されている前記三次元ルックアップテーブルを用いて、（ｉ）一つの入力フレームを構成する複数の画素のうちの所定の画素値以下の１以上の低輝度画素のそれぞれについて、当該低輝度画素が示す画素値を前記三次元ルックアップテーブルにおいて変換される画素値よりも大きい値に変換する第１三次元ルックアップテーブルと、（ｉｉ）一つの入力フレームを構成する複数の画素のうちの１以上の前記低輝度画素のそれぞれについて、当該低輝度画素が示す画素値を前記三次元ルックアップテーブルにおいて変換される画素値よりも小さい値に変換する第２三次元ルックアップテーブルとを生成する生成部と、
前記複数のフレームのうちのＮ（Ｎは２以上の自然数）枚のフレーム毎に含まれる第１フレームおよび第２フレームに対して、それぞれ、前記第１三次元ルックアップテーブルを用いた第１色変換、および、前記第２三次元ルックアップテーブルを用いた第２色変換を前記Ｎ枚のフレーム毎に繰り返し行い、得られた複数の変換後フレームを順次出力する変換部と、
前記変換部により順次出力された前記複数の変換後フレームを前記表示パネルに順次表示させる表示制御部と、を備える
表示装置。
【請求項２】
前記複数の画素のそれぞれは、複数の副画素を有し、
前記画素値は、複数の副画素のそれぞれに割り当てられている複数の副画素値により構成され、
前記所定の画素値以下の低輝度画素は、前記複数の副画素値のうちの最大の副画素値が前記所定の画素値以下の画素である
請求項１に記載の表示装置。
【請求項３】
前記第１三次元ルックアップテーブルおよび前記第２三次元ルックアップテーブルは、前記所定の画素値を超える１以上の高輝度画素が示す画素値を、前記三次元ルックアップテーブルにおいて変換される画素値と同じ画素値に変換する変換テーブルである
請求項１または２に記載の表示装置。
【請求項４】
前記生成部は、前記第１三次元ルックアップテーブルと、前記第２三次元ルックアップテーブルとを含むＮ個の三次元ルックアップテーブルを生成し、
前記変換部は、前記Ｎ枚のフレームに対して、それぞれ、前記Ｎ個の三次元ルックアップテーブルを用いた色変換を、前記Ｎ枚のフレーム毎に繰り返し行うことで、前記複数の変換後フレームを得る
請求項１から３のいずれか１項に記載の表示装置。
【請求項５】
前記生成部は、
前記三次元ルックアップテーブルにおいて前記所定の画素値以下の複数の入力値にそれぞれ対応する複数の出力値に、それぞれが１よりも大きい第１係数群を乗算し、前記複数の出力値を、乗算することで得られた複数の第１出力値に置き換えることで前記第１三次元ルックアップテーブルを生成し、
前記三次元ルックアップテーブルにおける前記複数の出力値にそれぞれが１よりも小さい第２係数群を乗算し、前記複数の出力値を、乗算することで得られた複数の第２出力値に置き換えることで前記第２三次元ルックアップテーブルを生成する
請求項１から４のいずれか１項に記載の表示装置。
【請求項６】
前記三次元ルックアップテーブルは、前記画素値が取り得る全ての値のうちの一部のＭ個（Ｍは２以上の自然数）の画素値をＭ個の入力値として、かつ、前記Ｍ個の入力値にそれぞれ対応する値をＭ個の出力値として有し、
前記生成部は、前記Ｍ個の入力値、および、前記複数の第１出力値を含むＭ個の第１出力値が対応付けられている前記第１三次元ルックアップテーブルを生成し、かつ、前記Ｍ個の入力値、および、前記複数の第２出力値を含むＭ個の第２出力値が対応付けられている前記第２三次元ルックアップテーブルを生成し、
前記変換部は、
入力されたフレームを構成する複数の画素のうち前記Ｍ個の入力値に含まれる第１画素値を有する第１画素に対して、前記第１三次元ルックアップテーブルまたは前記第２三次元ルックアップテーブルにおいて前記第１画素値を入力値としてそれぞれ対応付けられている前記第１出力値または前記第２出力値を変換後の画素値として出力し、
（ｉ）前記複数の画素のうち前記Ｍ個の入力値に含まれない第２画素値を有する第２画素に対して、前記Ｍ個の入力値のうち前記第２画素値に近いＬ個（Ｌは２以上の自然数、Ｌ＜Ｍ）の入力値を特定し、（ｉｉ）前記第１三次元ルックアップテーブルまたは前記第２三次元ルックアップテーブルにおいて、特定された前記Ｌ個の入力値にそれぞれ対応付けられているＬ個の第１出力値、または、Ｌ個の第２出力値を用いて補間することで補間出力値を算出し、（ｉｉｉ）算出された前記補間出力値を変換後の画素値として出力する
請求項５に記載の表示装置。
【請求項７】
前記変換部は、前記Ｌ個の第１出力値、または、前記Ｌ個の第２出力値を用いて三角錐補間または立方体補間を行うことで前記補間出力値を算出する
請求項６に記載の表示装置。
【請求項８】
前記表示パネルは、ＯＬＥＤ（Organic Light-Emitting Diode）パネルにより構成される
請求項１から７のいずれか１項に記載の表示装置。
【請求項９】
表示パネルと、映像を構成する複数のフレームのそれぞれに対して前記表示パネルの表示特性に応じた色変換を行うための三次元ルックアップテーブルを記憶している記憶部とを備える表示装置による表示方法であって、
映像を示す映像信号を取得し、
前記三次元ルックアップテーブルを前記記憶部から読み出し、
読み出された前記三次元ルックアップテーブルを用いて、（ｉ）一つの入力フレームを構成する複数の画素のうちの所定の画素値以下の１以上の低輝度画素のそれぞれについて、当該低輝度画素が示す画素値を前記三次元ルックアップテーブルにおいて変換される画素値よりも大きい値に変換する第１三次元ルックアップテーブルと、（ｉｉ）一つの入力フレームを構成する複数の画素のうちの１以上の前記低輝度画素のそれぞれについて、当該低輝度画素が示す画素値を前記三次元ルックアップテーブルにおいて変換される画素値よりも小さい値に変換する第２三次元ルックアップテーブルとを生成し、
前記複数のフレームのうちのＮ（Ｎは２以上の自然数）枚のフレーム毎に含まれる第１フレームおよび第２フレームに対して、それぞれ、前記第１三次元ルックアップテーブルを用いた第１色変換、および、前記第２三次元ルックアップテーブルを用いた第２色変換を前記Ｎ枚のフレーム毎に繰り返し行い、得られた複数の変換後フレームを順次出力し、
順次出力された前記複数の変換後フレームを前記表示パネルに順次表示させる
表示方法。
【発明の詳細な説明】
【技術分野】
【０００１】
本開示は、表示装置および表示方法に関する。
【背景技術】
【０００２】
特許文献１には、表示装置が備える表示パネルの表示特性に適した画素値に変換するために、三次元ルックアップテーブルを用いて、入力映像信号中の画素信号の各成分を、画素を構成する副画素に出力するための階調値に変換する表示装置が開示されている。
【先行技術文献】
【特許文献】
【０００３】
【特許文献１】特許第５１２４０５１号公報
【発明の概要】
【発明が解決しようとする課題】
【０００４】
しかしながら、特許文献１の技術では、画像の低輝度領域における各画素については、当該画素を当該画素に適切な色で表示パネルに表示させることが難しい。
【０００５】
本開示は、低輝度領域における各画素についても、当該画素を当該画素に適切な色で表示することができる表示装置および表示方法を提供する。
【課題を解決するための手段】
【０００６】
本開示における表示装置は、表示パネルと、映像を示す映像信号を取得する取得部と、映像を構成する複数のフレームのそれぞれに対して前記表示パネルの表示特性に応じた色変換を行うための三次元ルックアップテーブルを記憶している記憶部と、前記記憶部に記憶されている前記三次元ルックアップテーブルを用いて、（ｉ）一つの入力フレームを構成する複数の画素のうちの所定の画素値以下の１以上の低輝度画素のそれぞれについて、当該低輝度画素が示す画素値を前記三次元ルックアップテーブルにおいて変換される画素値よりも大きい値に変換する第１三次元ルックアップテーブルと、（ｉｉ）一つの入力フレームを構成する複数の画素のうちの１以上の前記低輝度画素のそれぞれについて、当該低輝度画素が示す画素値を前記三次元ルックアップテーブルにおいて変換される画素値よりも小さい値に変換する第２三次元ルックアップテーブルとを生成する生成部と、前記複数のフレームのうちのＮ（Ｎは２以上の自然数）枚のフレーム毎に含まれる第１フレームおよび第２フレームに対して、それぞれ、前記第１三次元ルックアップテーブルを用いた第１色変換、および、前記第２三次元ルックアップテーブルを用いた第２色変換を前記Ｎ枚のフレーム毎に繰り返し行い、得られた複数の変換後フレームを順次出力する変換部と、前記変換部により順次出力された前記複数の変換後フレームを前記表示パネルに順次表示させる表示制御部と、を備える。
【０００７】
なお、上記の全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本開示における表示装置および表示方法は、低輝度領域における各画素についても、当該画素を当該画素に適切な色で表示することができる。
【図面の簡単な説明】
【０００９】
【図１】図１は、本実施の形態に係る表示装置の外観の一例を示す斜視図である。
【図２】図２は、本実施の形態に係る表示装置のハードウェア構成の一例を示すブロック図である。
【図３】図３は、本実施の形態に係る表示装置の機能構成の一例を示すブロック図である。
【図４】図４は、三次元ＬＵＴの一例を示す図である。
【図５】図５は、第１三次元ＬＵＴおよび第２三次元ＬＵＴを生成する処理について説明するための図である。
【図６】図６は、第１三次元ＬＵＴを生成する処理の具体例について説明するための図である。
【図７】図７は、第２三次元ＬＵＴを生成する処理の具体例について説明するための図である。
【図８】図８は、変換部による色変換を説明するための図である。
【図９】図９は、実施の形態に係る表示装置１００による表示方法の一例を示すフローチャートである。
【発明を実施するための形態】
【００１０】
（本開示の基礎となった知見）
特許文献１の技術では、三次元ルックアップテーブルを用いて、入力された映像信号の映像の各フレームに含まれる各画素の画素値を、表示装置が備える表示パネルの表示特性に適した画素値に変換している。このような三次元ルックアップテーブルは、入力画素値と、出力画素値との関係を示しており、横軸を入力画素値とし、縦軸を出力画素値としたときに、画素値が所定の画素値以下の低領域の方が所定の画素値を超える高領域よりも傾きがなだらかな曲線により表される。つまり、三次元ルックアップテーブルの入出力値の関係において、低領域では高領域よりも、入力画素値の増加幅に対する出力画素値の増加幅が小さい。
【００１１】
このように、低領域では、入力画素値の増加幅に対する出力画素値の増加幅が小さいため、入力画素値が増加しても、出力側では次の段階の出力画素値へ届かないために増加しなかったり、入力画素値がほとんど増加していないのに次の段階の出力画素値へ届いてしまうために出力画素値が増加してしまったりする。つまり、出力画素値が増加する前後に対応する入力画素値の閾値を跨いで入力画素値が変化すると、出力画素値が増減することになるが、当該閾値よりも小さい所定の範囲、または、当該閾値よりも大きい所定の範囲で入力画素値が変化しても出力画素値が増減しないまたは増減しにくい現象が発生する。特に、低領域では、表示パネルにより表示される画素の輝度の絶対値が小さいため、出力画素値が１増加すると表示される画素の輝度の増加率が大きくなる。このため、閾値の前後で入力画素値が変化した場合において表示パネルに表示される画素の輝度の変化、または、当該画素の輝度と周囲の画素の輝度との差が目立ちやすくなる。
【００１２】
このため、従来の表示装置では、低輝度領域において良好な階調特性の映像を表示パネルに表示させることが難しいという課題があった。この課題は、画素を構成するＲＧＢの副画素についても同様に言えるため、低輝度領域における各画素について、当該画素を当該画素に適切な色で表示することが難しかった。
【００１３】
そこで、本開示は、低輝度領域における各画素についても、当該画素を当該画素に適切な色で表示することができる表示装置および表示方法を開示する。
【００１４】
本開示における表示装置は、表示パネルと、映像を示す映像信号を取得する取得部と、映像を構成する複数のフレームのそれぞれに対して前記表示パネルの表示特性に応じた色変換を行うための三次元ルックアップテーブルを記憶している記憶部と、前記記憶部に記憶されている前記三次元ルックアップテーブルを用いて、（ｉ）一つの入力フレームを構成する複数の画素のうちの所定の画素値以下の１以上の低輝度画素のそれぞれについて、当該低輝度画素が示す画素値を前記三次元ルックアップテーブルにおいて変換される画素値よりも大きい値に変換する第１三次元ルックアップテーブルと、（ｉｉ）一つの入力フレームを構成する複数の画素のうちの１以上の前記低輝度画素のそれぞれについて、当該低輝度画素が示す画素値を前記三次元ルックアップテーブルにおいて変換される画素値よりも小さい値に変換する第２三次元ルックアップテーブルとを生成する生成部と、前記複数のフレームのうちのＮ（Ｎは２以上の自然数）枚のフレーム毎に含まれる第１フレームおよび第２フレームに対して、それぞれ、前記第１三次元ルックアップテーブルを用いた第１色変換、および、前記第２三次元ルックアップテーブルを用いた第２色変換を前記Ｎ枚のフレーム毎に繰り返し行い、得られた複数の変換後フレームを順次出力する変換部と、前記変換部により順次出力された前記複数の変換後フレームを前記表示パネルに順次表示させる表示制御部と、を備える。
【００１５】
これによれば、第１色変換により第１フレームの１以上の低輝度画素を、三次元ルックアップテーブルを用いて変換する場合よりも明るい画素値に変換し、かつ、第２色変換により第２フレームの１以上の低輝度画素を、三次元ルックアップテーブルを用いて変換する場合よりも暗い画素値に変換することができる。そして、これらの変換により得られた複数の変換後フレームを順次表示パネルに表示させる。このため、時間的ディザリングにより低輝度領域における各画素が最適な色に調整された映像を表示パネルに表示させることができる。また、変換後フレームを第１三次元ルックアップテーブルおよび第２三次元ルックアップテーブルを用いて生成するため、表示パネルの表示特性に応じた色変換であって、時間的ディザリングを行うための色変換を、各フレームの低輝度画素に容易に適用することができる。
【００１６】
また、前記複数の画素のそれぞれは、複数の副画素を有し、前記画素値は、複数の副画素のそれぞれに割り当てられている複数の副画素値により構成され、前記所定の画素値以下の低輝度画素は、前記複数の副画素値のうちの最大の副画素値が前記所定の画素値以下の画素であってもよい。
【００１７】
このように、輝度成分が他の色よりも大きいＧの副画素値のみにおいて、時間的ディザリングを行うことでも効果的に、低輝度領域における各画素が最適な色に調整された映像を表示パネル１０６に表示させることができる。
【００１８】
また、前記第１三次元ルックアップテーブルおよび前記第２三次元ルックアップテーブルは、前記所定の画素値を超える１以上の高輝度画素が示す画素値を、前記三次元ルックアップテーブルにおいて変換される画素値と同じ画素値に変換する変換テーブルであってもよい。
【００１９】
このため、表示パネルに表示される画素の輝度の変化、または、当該画素の輝度と周囲の画素の輝度との差が目立ちやすい低輝度画素のみに時間的ディザリングを適用することができる。
【００２０】
また、前記生成部は、前記第１三次元ルックアップテーブルと、前記第２三次元ルックアップテーブルとを含むＮ個の三次元ルックアップテーブルを生成し、前記変換部は、前記Ｎ枚のフレームに対して、それぞれ、前記Ｎ個の三次元ルックアップテーブルを用いた色変換を、前記Ｎ枚のフレーム毎に繰り返し行うことで、前記複数の変換後フレームを得てもよい。
【００２１】
これによれば、Ｎ個のフレームのそれぞれに対して異なる三次元ルックアップテーブルを用いた変換を行うことで、複数の変換後フレームを得るため、時間的ディザリングによる低輝度領域における各画素の色の調整を効果的に行うことができる。
【００２２】
また、前記生成部は、前記三次元ルックアップテーブルにおいて前記所定の画素値以下の複数の入力値にそれぞれ対応する複数の出力値に、それぞれが１よりも大きい第１係数群を乗算し、前記複数の出力値を、乗算することで得られた複数の第１出力値に置き換えることで前記第１三次元ルックアップテーブルを生成し、前記三次元ルックアップテーブルにおける前記複数の出力値にそれぞれが１よりも小さい第２係数群を乗算し、前記複数の出力値を、乗算することで得られた複数の第２出力値に置き換えることで前記第２三次元ルックアップテーブルを生成してもよい。
【００２３】
このため、生成部は、第１三次元ルックアップテーブルおよび第２三次元ルックアップテーブルを容易に生成することができる。
【００２４】
また、前記三次元ルックアップテーブルは、前記画素値が取り得る全ての値のうちの一部のＭ個（Ｍは２以上の自然数）の画素値をＭ個の入力値として、かつ、前記Ｍ個の入力値にそれぞれ対応する値をＭ個の出力値として有し、前記生成部は、前記Ｍ個の入力値、および、前記複数の第１出力値を含むＭ個の第１出力値が対応付けられている前記第１三次元ルックアップテーブルを生成し、かつ、前記Ｍ個の入力値、および、前記複数の第２出力値を含むＭ個の第２出力値が対応付けられている前記第２三次元ルックアップテーブルを生成し、前記変換部は、入力されたフレームを構成する複数の画素のうち前記Ｍ個の入力値に含まれる第１画素値を有する第１画素に対して、前記第１三次元ルックアップテーブルまたは前記第２三次元ルックアップテーブルにおいて前記第１画素値を入力値としてそれぞれ対応付けられている前記第１出力値または前記第２出力値を変換後の画素値として出力し、（ｉ）前記複数の画素のうち前記Ｍ個の入力値に含まれない第２画素値を有する第２画素に対して、前記Ｍ個の入力値のうち前記第２画素値に近いＬ個（Ｌは２以上の自然数、Ｌ＜Ｍ）の入力値を特定し、（ｉｉ）前記第１三次元ルックアップテーブルまたは前記第２三次元ルックアップテーブルにおいて、特定された前記Ｌ個の入力値にそれぞれ対応付けられているＬ個の第１出力値、または、Ｌ個の第２出力値を用いて補間することで補間出力値を算出し、（ｉｉｉ）算出された前記補間出力値を変換後の画素値として出力してもよい。
【００２５】
これによれば、三次元ルックアップテーブルは、Ｍ個の入力値とＭ個の出力値との関係を示すため、記憶部における三次元ルックアップテーブルが占める記憶容量を低減することができる。
【００２６】
また、前記変換部は、前記Ｌ個の第１出力値、または、前記Ｌ個の第２出力値を用いて三角錐補間または立方体補間を行うことで前記補間出力値を算出してもよい。
【００２７】
このため、容量が小さい三次元ルックアップテーブルを用いても、効果的に補間出力値を算出することができる。
【００２８】
また、前記表示パネルは、ＯＬＥＤ（Organic Light-Emitting Diode）パネルにより構成されてもよい。
【００２９】
このため、画素値に対して小さい輝度で表示する表示特性を有するＯＬＥＤパネルにおいて目立ちやすくなる、低輝度画素の輝度の変化、または、低輝度画素の輝度と周囲の画素の輝度値の差を効果的に小さくすることができる。これにより、時間的ディザリングより低輝度領域における各画素が最適な色に調整された映像をＯＬＥＤパネルに表示させることができる。
【００３０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００３１】
なお、発明者は、当業者が本開示を十分に理解するために添付図面および以下の説明を提供するのであって、これらによって特許請求の範囲に記載の主題を限定することを意図するものではない。
【００３２】
（実施の形態）
以下、図１〜図９を用いて、実施の形態を説明する。
【００３３】
［１．構成］
図１は、本実施の形態に係る表示装置の外観の一例を示す斜視図である。
【００３４】
図１に示すように、表示装置１００は、表示パネルを筐体内に格納した、一般的なフラットパネルディスプレイの外観を有している。表示装置１００は、例えば、表示パネルとしてＯＬＥＤ（Organic Light-Emitting Diode）パネルを備える有機ＥＬ（Electro-Luminescence）ディスプレイである。
【００３５】
図２は、本実施の形態に係る表示装置のハードウェア構成の一例を示すブロック図である。
【００３６】
図２に示すように、表示装置１００は、チューナ１０１と、デコーダ１０２と、入力ＩＦ（Ｉｎｔｅｒｆａｃｅ）１０３と、制御回路１０４と、メモリ１０５と、表示パネル１０６とを備える。
【００３７】
チューナ１０１は、図示しないアンテナにより受信した放送波を構成するアナログ信号をデジタル信号である符号化信号へ変換し、変換することで得られた符号化信号をデコーダ１０２に出力する。
【００３８】
デコーダ１０２は、チューナ１０１から取得した符号化信号を復号し、復号することで得られた映像信号を制御回路１０４に出力する。
【００３９】
入力ＩＦ１０３は、外部機器から出力される映像信号の入力を受け付けるインタフェースである。入力ＩＦ１０３は、例えば、ＨＤＭＩ（登録商標）（High-Definition Multimedia Interface）端子、ＵＳＢ  Ｔｙｐｅ−Ｃ端子、ＤｉｓｐｌａｙＰｏｒｔ端子などである。
【００４０】
制御回路１０４は、デコーダ１０２または入力ＩＦ１０３により出力された映像信号に対して、メモリ１０５に記憶されている表示パネル１０６の表示特性が考慮された三次元ルックアップテーブル（以下、「三次元ＬＵＴ」という。）に応じて画像処理を行う。制御回路１０４は、画像処理を行うことで得られた映像を、表示パネル１０６に出力する。これにより、表示パネル１０６は、表示パネル１０６の表示特性に合わせた映像を表示させることができる。なお、デコーダ１０２と制御回路１０４とは、同一の回路で実現されていてもよい。また、制御回路１０４は、所定のプログラムを実行するＣＰＵなどの汎用のプロセッサにより実現されていてもよいし、専用回路により実現されていてもよい。つまり、表示装置１００の機能は、ソフトウェアにより実現されていてもよいし、ハードウェアにより実現されていてもよい。
【００４１】
メモリ１０５は、三次元ＬＵＴを記憶している。メモリ１０５は、さらに制御プログラムを記憶していてもよい。メモリ１０５は、例えば、不揮発性メモリである。
【００４２】
表示パネル１０６は、制御回路１０４により出力された映像を表示する。表示パネル１０６は、上述したように、例えば、ＯＬＥＤパネルにより構成される。
【００４３】
次に、表示装置１００の機能構成について説明する。
【００４４】
図３は、本実施の形態に係る表示装置１００の機能構成の一例を示すブロック図である。図４は、三次元ＬＵＴの一例を示す図である。
【００４５】
図３に示すように、表示装置１００は、機能構成として、取得部１１０と、記憶部１２０と、生成部１３０と、変換部１４０と、表示制御部１５０と、表示パネル１０６とを備える。
【００４６】
取得部１１０は、映像を示す映像信号を取得する。取得部１１０は、例えば、チューナ１０１およびデコーダ１０２により実現されてもよいし、入力ＩＦ１０３により実現されてもよい。つまり、取得部１１０は、放送波を受信することにより映像信号を取得してもよいし、外部機器から映像信号を取得してもよい。
【００４７】
記憶部１２０は、三次元ＬＵＴ２１０を記憶している。三次元ＬＵＴ２１０は、映像を構成する複数のフレームのそれぞれに対して表示パネル１０６の表示特性に応じた色変換を行う変換テーブルである。三次元ＬＵＴ２１０は、図４に示すように、複数の入力値と複数の出力値とが１対１で対応付けられていることを示す変換テーブルである。
【００４８】
ここで、映像の各フレームを構成する各画素の画素値は、複数の副画素にそれぞれ対応する複数の副画素値により構成される。複数の副画素は、ＲＧＢのそれぞれからなる画素である。つまり、画素値は、複数の副画素のそれぞれに割り当てられている複数の副画素値により構成される。具体的には、複数の副画素値は、複数のＲ（Ｒｅｄ）の副画素値、Ｇ（Ｇｒｅｅｎ）の副画素値およびＢ（Ｂｌｕｅ）の副画素値を有する。複数の副画素値は、さらに、Ｗ（Ｗｈｉｔｅ）の副画素値を有していてもよい。
【００４９】
このように、各画素の画素値は、複数の副画素値により構成されるため、三次元ＬＵＴ２１０における複数の入力値のそれぞれは、ＲＧＢにそれぞれ対応する複数の副画素値を有する。同様に、三次元ＬＵＴ２１０における複数の出力値のそれぞれは、ＲＧＢにそれぞれ対応する複数の副画素値を有する。つまり、三次元ＬＵＴ２１０では、それぞれがＲＧＢのそれぞれに対応する複数の副画素値の組合せからなる複数の入力値と、それぞれがＲＧＢのそれぞれに対応する複数の副画素値の組合せからなる複数の出力値とが１対１で対応付けられている。
【００５０】
また、三次元ＬＵＴ２１０は、複数の副画素値のそれぞれについてｍ個の代表値を入力値および出力値として有していてもよい。つまり、三次元ＬＵＴ２１０は、副画素値が取り得る値が１０ｂｉｔで表される値である場合には、０から１０２３までの１０２４個の全ての値ではなく、０から１０２３までの１０２４個の数値のうちのｍ個の代表値を入力値とし、１０２４個の数値のうちのｍ個の代表値を出力値とする変換テーブルであってもよい。このように、三次元ＬＵＴ２１０は、画素値が取り得る全ての値のうちの一部のＭ個（Ｍは２以上の自然数）の画素値をＭ個の入力値として、かつ、Ｍ個の入力値にそれぞれ対応する値をＭ個の出力値として有していてもよい。この場合、複数の副画素値がＲＧＢのそれぞれに対応する場合、１つの画素値は３つの副画素値により構成されるため、Ｍは、ｍの３乗に等しい。記憶部１２０は、例えば、メモリ１０５により実現される。
【００５１】
次に、生成部１３０による処理について図５〜図７を用いて説明する。
【００５２】
図５は、第１三次元ＬＵＴ２２０および第２三次元ＬＵＴ２３０を生成する処理について説明するための図である。図６は、第１三次元ＬＵＴを生成する処理の具体例について説明するための図である。図７は、第２三次元ＬＵＴを生成する処理の具体例について説明するための図である。
【００５３】
生成部１３０は、記憶部１２０に記憶されている三次元ＬＵＴ２１０を用いて、第１三次元ＬＵＴ２２０と、第２三次元ＬＵＴ２３０を生成する。
【００５４】
生成部１３０は、例えば、記憶部１２０に記憶されている三次元ＬＵＴ２１０を用いて、Ｎ個の異なる三次元ＬＵＴを生成する。本実施の形態では、Ｎは２であり、以降のＮも同様である。Ｎ個の異なる三次元ＬＵＴは、第１三次元ＬＵＴ２２０および第２三次元ＬＵＴ２３０を含み、Ｎは２である。つまり、生成部１３０は、本実施の形態では、２個の三次元ＬＵＴを生成し、生成された２個の三次元ＬＵＴは、第１三次元ＬＵＴ２２０および第２三次元ＬＵＴ２３０により構成される。
【００５５】
第１三次元ＬＵＴ２２０は、一つの入力フレームを構成する複数の画素のうちの所定の画素値以下の１以上の低輝度画素のそれぞれについて、当該低輝度画素が示す画素値を三次元ＬＵＴ２１０において変換される画素値よりも大きい値に変換する変換テーブルである。第１三次元ＬＵＴ２２０は、一つの入力フレームを構成する複数の画素のうちの所定の画素値を超える１以上の高輝度画素のそれぞれについて、当該高輝度画素が示す画素値を、三次元ＬＵＴ２１０において変換される画素値と同じ画素値に変換する。
【００５６】
なお、所定の画素値以下の低輝度画素は、入力フレームを構成する複数の画素の複数の副画素値のうちの最大の副画素値が所定の画素値以下の画素である。
【００５７】
生成部１３０は、具体的には、図５および図６に示すように、三次元ＬＵＴ２１０において所定の画素値以下の複数の入力値２１１にそれぞれ対応する複数の出力値２１２に、それぞれが１よりも大きい第１係数群２０１を乗算する。そして、生成部１３０は、三次元ＬＵＴ２１０における複数の出力値２１２を、乗算することで得られた複数の第１出力値２２２に置き換えることで第１三次元ＬＵＴ２２０を生成する。このため、三次元ＬＵＴ２１０における低輝度画素の一の入力値２１１に対応する出力値２１２と、第１三次元ＬＵＴ２２０における当該一の入力値２１１に対応する第１出力値２２２とは、互いに異なる値であり、当該出力値２１２は、当該第１出力値２２２よりも小さい。また、三次元ＬＵＴ２１０における高輝度画素の一の入力値に対応する出力値と、第１三次元ＬＵＴ２２０における当該一の入力値に対応する第１出力値とは、等しい。
【００５８】
第１係数群２０１は、複数の第１係数ａ１１、ａ１２、ａ１３、・・・により構成される。複数の第１係数ａ１１、ａ１２、ａ１３、・・・は、三次元ＬＵＴの各入力値２１１の３つの副画素値の最大値に対応している。複数の第１係数ａ１１、ａ１２、ａ１３、・・・は、それぞれ１より大きい係数である。なお、第１係数群２０１に含まれる複数の第１係数ａ１１、ａ１２、ａ１３、・・・は、３つの副画素値の組合せに応じて算出された値であれば、３つの副画素値の最大値に対応している値でなくてもよい。
【００５９】
ここで、三次元ＬＵＴ２１０は、上述したように、Ｍ個の入力値とＭ個の出力値とを対応付けた変換テーブルであるため、生成部１３０は、Ｍ個の入力値、および、複数の第１出力値２２２を含むＭ個の第１出力値が対応付けられている第１三次元ＬＵＴ２２０を生成することとなる。
【００６０】
第２三次元ＬＵＴ２３０は、一つの入力フレームを構成する複数の画素のうちの所定の画素値以下の１以上の低輝度画素のそれぞれについて、当該低輝度画素が示す画素値を三次元ＬＵＴ２１０において変換される画素値よりも小さい値に変換する変換テーブルである。第２三次元ＬＵＴ２３０は、一つの入力フレームを構成する複数の画素のうちの所定の画素値を超える１以上の高輝度画素のそれぞれについて、当該高輝度画素が示す画素値を、三次元ＬＵＴ２１０において変換される画素値と同じ画素値に変換する。
【００６１】
生成部１３０は、具体的には、図５および図７に示すように、三次元ＬＵＴ２１０において所定の画素値以下の複数の入力値２１１にそれぞれ対応する複数の出力値２１２に、それぞれが１よりも小さい第２係数群２０２を乗算する。そして、生成部１３０は、三次元ＬＵＴ２１０における複数の出力値２１２を、乗算することで得られた複数の第２出力値２３２に置き換えることで第２三次元ＬＵＴ２３０を生成する。このため、三次元ＬＵＴ２１０における低輝度画素の一の入力値２１１に対応する出力値２１２と、第２三次元ＬＵＴ２３０における当該一の入力値２１１に対応する第２出力値２３２とは、互いに異なる値であり、当該出力値２１２は、当該第２出力値２３２よりも大きい。また、三次元ＬＵＴ２１０における高輝度画素の一の入力値に対応する出力値と、第２三次元ＬＵＴ２３０における当該一の入力値に対応する第２出力値とは、等しい。
【００６２】
第２係数群２０２は、複数の第２係数ａ２１、ａ２２、ａ２３、・・・により構成される。複数の第２係数ａ２１、ａ２２、ａ２３、・・・は、三次元ＬＵＴの各入力値の３つの副画素値の最大値に対応している。複数の第２係数ａ２１、ａ２２、ａ２３、・・・は、それぞれ１より小さい係数である。なお、第２係数群２０２に含まれる複数の第２係数ａ２１、ａ２２、ａ２３、・・・は、３つの副画素値の組合せに応じて算出された値であれば、３つの副画素値の最大値に対応している値でなくてもよい。
【００６３】
なお、第１係数群２０１および第２係数群２０２は、記憶部１２０に記憶されていてもよく、生成部１３０は、記憶部１２０から三次元ＬＵＴ２１０、第１係数群２０１および第２係数群２０２を読み出して、読み出された三次元ＬＵＴ２１０、第１係数群２０１および第２係数群２０２を用いて第１三次元ＬＵＴ２２０および第２三次元ＬＵＴ２３０を生成する。また、第１係数群２０１および第２係数群２０２は、既存の方法を用いて、時間的ディザリングを実行したときに、入力された画素値に応じた適切な輝度で映像を表示パネル１０６に表示するために予め算出された値である。
【００６４】
ここで、三次元ＬＵＴ２１０は、上述したように、Ｍ個の入力値とＭ個の出力値とを対応付けた変換テーブルであるため、生成部１３０は、Ｍ個の入力値、および、複数の第２出力値２３２を含むＭ個の第２出力値が対応付けられている第２三次元ＬＵＴ２３０を生成することとなる。
【００６５】
次に、変換部１４０による処理について図８を用いて説明する。
【００６６】
図８は、変換部１４０による色変換を説明するための図である。
【００６７】
変換部１４０は、複数のフレームＦ１〜Ｆ６のうちのＮ枚のフレーム毎に含まれる第１フレームＦ１、Ｆ３、Ｆ５および第２フレームＦ２、Ｆ４、Ｆ６に対して、それぞれ、第１色変換および第２色変換をＮ枚のフレーム毎に繰り返し行う。変換部１４０は、例えば、図８に示すように、２枚のフレーム毎に含まれる第１フレームＦ１、Ｆ３、Ｆ５に対して第１色変換を行い、第２フレームＦ２、Ｆ４、Ｆ６に対して第２色変換を行う。変換部１４０は、第１色変換および第２色変換をＮ枚のフレーム毎に繰り返し行うことで得られた複数の変換後フレームＦ１１〜Ｆ１６を順次出力する。
【００６８】
ここで、第１色変換は、生成部１３０により生成された第１三次元ＬＵＴ２２０を用いた変換である。第２色変換は、生成部１３０により生成された第２三次元ＬＵＴ２３０を用いた変換である。このように、変換部１４０は、Ｎ枚のフレームに対して、それぞれ、Ｎ個の三次元ＬＵＴを用いた色変換を、Ｎ枚のフレーム毎に繰り返し行うことで、複数の変換後フレームＦ１１〜Ｆ１６を得る。これにより、複数のフレームＦ１〜Ｆ６には、Ｎ枚の組を構成するＮ枚のフレームにそれぞれ異なる色変換が適用される。
【００６９】
また、変換部１４０は、入力されたフレームを構成する複数の画素のうちＭ個の入力値に含まれる第１画素値を有する第１画素に対して、第１三次元ＬＵＴ２２０において第１画素値を入力値としてそれぞれ対応付けられている第１出力値を変換後の画素値として算出する。変換部１４０は、入力されたフレームを構成する複数の画素のうちＭ個の入力値に含まれる第１画素値を有する第１画素に対して、第２三次元ＬＵＴ２３０において第１画素値を入力値としてそれぞれ対応付けられている第２出力値を変換後の画素値として算出する。
【００７０】
変換部１４０は、複数の画素のうちＭ個の入力値に含まれない第２画素値を有する第２画素に対して、第１三次元ＬＵＴ２２０を用いて補間処理を行うことにより、当該第２画素値に対応する補間出力値を算出する。同様に、変換部１４０は、複数の画素のうちＭ個の入力値に含まれない第２画素値を有する第２画素に対して、第２三次元ＬＵＴ２３０を用いて補間処理を行うことにより、当該第２画素値に対応する補間出力値を算出する。
【００７１】
補間処理では、変換部１４０は、具体的には、第２画素値を有する第２画素に対して、Ｍ個の入力値のうち第２画素値に近いＬ個（Ｌは２以上の自然数、Ｌ＜Ｍ）の入力値を特定する。そして、変換部１４０は、第１三次元ＬＵＴ２２０において、特定されたＬ個の入力値にそれぞれ対応付けられているＬ個の第１出力値を用いて補間することで補間出力値を算出する。同様に、変換部１４０は、第２三次元ＬＵＴ２３０において、特定されたＬ個の入力値にそれぞれ対応付けられているＬ個の第２出力値を用いて補間することで補間出力値を算出する。つまり、三次元ＬＵＴ２１０は、Ｍ個の入力値とＭ個の出力値との関係を示すため、記憶部１２０における三次元ＬＵＴ２１０が占める記憶容量を低減することができる。
【００７２】
変換部１４０は、例えば、補間処理において、Ｌ個の第１出力値、または、Ｌ個の第２出力値を用いて三角錐補間または立方体補間を行うことで補間出力値を算出する。このため、容量が小さい三次元ＬＵＴ２１０を用いても、効果的に補間出力値を算出することができる。変換部１４０が補間処理において三角錐補間を行う場合、Ｌは４である。また、変換部１４０が補間処理において立方体補間を行う場合、Ｌは８である。その後、変換部１４０は、算出された補間出力値を変換後の画素値として出力する。
【００７３】
表示制御部１５０は、変換部１４０により順次出力された複数の変換後フレームＦ１１〜Ｆ１６を表示パネル１０６に順次表示する。
【００７４】
なお、生成部１３０、変換部１４０および表示制御部１５０は、例えば、制御回路１０４、メモリ１０５などにより実現される。
【００７５】
［２．動作］
次に、表示装置１００の動作について図９を用いて説明する。なお、以下の説明において、各処理部の詳細な動作について、図３〜図８を用いて既に説明しているため、これらの動作の詳細な説明を省略する。
【００７６】
図９は、実施の形態に係る表示装置１００による表示方法の一例を示すフローチャートである。
【００７７】
表示装置１００では、取得部１１０が映像信号を取得する（Ｓ１）。
【００７８】
次に、生成部１３０は、三次元ＬＵＴ２１０を記憶部１２０から読み出す（Ｓ２）。
【００７９】
そして、生成部１３０は、読み出された三次元ＬＵＴ２１０を用いて、第１三次元ＬＵＴ２２０および第２三次元ＬＵＴ２３０を生成する（Ｓ３）。
【００８０】
変換部１４０は、複数のフレームＦ１〜Ｆ６のそれぞれについて、当該フレームが第１フレームであるか第２フレームであるかを判定する（Ｓ４）。
【００８１】
変換部１４０は、ステップＳ４において第１フレームであると判定したフレームに対して第１三次元ＬＵＴ２２０を用いた第１色変換を行う（Ｓ５）。
【００８２】
また、変換部１４０は、ステップＳ４において第２フレームであると判定したフレームに対して第２三次元ＬＵＴ２３０を用いた第２色変換を行う（Ｓ６）。
【００８３】
その後、表示制御部１５０は、ステップＳ５およびステップＳ６による色変換により生成された複数の変換後フレームＦ１１〜Ｆ１６を表示パネル１０６に表示させる（Ｓ７）。
【００８４】
［３．効果など］
本実施の形態に係る表示装置１００は、表示パネル１０６と、取得部１１０と、記憶部１２０と、生成部１３０と、変換部１４０と、表示制御部１５０とを備える。取得部１１０は、映像を示す映像信号を取得する。記憶部１２０は、三次元ＬＵＴ２１０を記憶している。三次元ＬＵＴ２１０は、映像を構成する複数のフレームのそれぞれに対して表示パネル１０６の表示特性に応じた色変換を行うための変換テーブルである。生成部１３０は、記憶部１２０に記憶されている三次元ＬＵＴ２１０を用いて、第１三次元ＬＵＴ２２０と第２三次元ＬＵＴ２３０とを生成する。第１三次元ＬＵＴ２２０は、一つの入力フレームを構成する複数の画素のうちの所定の画素値以下の１以上の低輝度画素のそれぞれについて、当該低輝度画素が示す画素値を三次元ＬＵＴ２１０において変換される画素値よりも大きい値に変換する変換テーブルである。第２三次元ＬＵＴ２３０は、一つの入力フレームを構成する複数の画素のうちの所定の画素値以下の１以上の低輝度画素のそれぞれについて、当該低輝度画素が示す画素値を三次元ＬＵＴ２１０において変換される画素値よりも小さい値に変換する変換テーブルである。変換部１４０は、複数のフレームＦ１〜Ｆ６のうちのＮ枚のフレーム毎に含まれる第１フレームＦ１、Ｆ３、Ｆ５および第２フレームＦ２、Ｆ４、Ｆ６に対して、それぞれ、第１色変換および第２色変換をＮ枚のフレーム毎に繰り返し行う。第１色変換は、生成部１３０により生成された第１三次元ＬＵＴ２２０を用いた変換である。第２色変換は、生成部１３０により生成された第２三次元ＬＵＴ２３０を用いた変換である。表示制御部１５０は、変換部１４０により順次出力された複数の変換後フレームＦ１１〜Ｆ１６を表示パネル１０６に順次表示する。
【００８５】
これによれば、第１色変換により第１フレームの１以上の低輝度画素を、三次元ＬＵＴ２１０を用いて変換する場合よりも明るい画素値に変換し、かつ、第２色変換により第２フレームの１以上の低輝度画素を、三次元ＬＵＴ２１０を用いて変換する場合よりも暗い画素値に変換することができる。そして、これらの変換により得られた複数の変換後フレームＦ１１〜Ｆ１６を順次表示パネル１０６に表示させる。また、変換後フレームＦ１１〜Ｆ１６を第１三次元ＬＵＴ２２０および第２三次元ＬＵＴ２３０を用いて生成するため、表示パネル１０６の表示特性に応じた色変換であって、時間的ディザリングを行うための色変換を、各フレームＦ１〜Ｆ６の低輝度画素に容易に適用することができる。このため、時間的ディザリングにより低輝度領域における各画素が、表示パネル１０６に最適な色に調整された映像を表示パネル１０６に表示させることができる。また、三次元ＬＵＴ２１０を用いて、色変換を実行するため、ＲＧＢの各副画素を独立して制御することが容易にできる。
【００８６】
また、本実施の形態に係る表示装置１００において、複数の画素のそれぞれは、複数の副画素を有する。画素値は、複数の副画素のそれぞれに割り当てられている複数の副画素値により構成される。所定の画素値以下の低輝度画素は、複数の副画素値のうちの最大の副画素値が所定の画素値以下の画素である。
【００８７】
このため、第１色変換および第２色変換を、最大の副画素値が所定の画素値以下の画素に適用することができる。よって、時間的ディザリングにより低輝度領域における各画素が、表示パネル１０６に最適な色に調整された映像を、表示パネル１０６に表示させることができる。
【００８８】
また、本実施の形態に係る表示装置１００において、第１三次元ＬＵＴ２２０および第２三次元ＬＵＴ２３０は、所定の画素値を超える１以上の高輝度画素が示す画素値を、三次元ＬＵＴ２１０において変換される画素値と同じ画素値に変換する変換テーブルである。このため、表示パネル１０６に表示される画素の輝度の変化、または、当該画素の輝度と周囲の画素の輝度との差が目立ちやすい低輝度画素のみに時間的ディザリングを適用することができる。
【００８９】
また、本実施の形態に係る表示装置１００において、生成部１３０は、第１三次元ＬＵＴ２２０と、第２三次元ＬＵＴ２３０とを含むＮ個の三次元ＬＵＴを生成する。変換部１４０は、Ｎ枚のフレームに対して、それぞれ、Ｎ個の三次元ＬＵＴを用いた色変換を、Ｎ枚のフレーム毎に繰り返し行うことで、複数の変換後フレームＦ１１〜Ｆ１６を得る。
【００９０】
これによれば、Ｎ個のフレームのそれぞれに対して異なる三次元ＬＵＴを用いた変換を行うことで、複数の変換後フレームＦ１１〜Ｆ１６を得るため、時間的ディザリングによる低輝度領域における各画素の色の調整を効果的に行うことができる。
【００９１】
また、本実施の形態に係る表示装置１００において、生成部１３０は、三次元ＬＵＴ２１０において所定の画素値以下の複数の入力値にそれぞれ対応する複数の出力値に、それぞれが１よりも大きい第１係数群２０１を乗算する。生成部１３０は、複数の出力値２１２を、乗算することで得られた複数の第１出力値２２２に置き換えることで第１三次元ＬＵＴ２２０を生成する。同様に、生成部１３０は、三次元ＬＵＴ２１０における複数の出力値２１２にそれぞれが１よりも小さい第２係数群２０２を乗算する。生成部１３０は、複数の出力値２１２を、乗算することで得られた複数の第２出力値２３２に置き換えることで第２三次元ＬＵＴ２３０を生成する。このため、生成部１３０は、第１三次元ＬＵＴ２２０および第２三次元ＬＵＴ２３０を容易に生成することができる。
【００９２】
また、本実施の形態に係る表示装置１００において、表示パネル１０６は、ＯＬＥＤ（Organic Light-Emitting Diode）パネルにより構成される。このため、画素値に対して小さい輝度で表示する表示特性を有するＯＬＥＤパネルにおいて目立ちやすくなる、低輝度画素の輝度の変化、または、低輝度画素の輝度と周囲の画素の輝度値の差を効果的に小さくすることができる。これにより、時間的ディザリングより低輝度領域における各画素が最適な色に調整された映像をＯＬＥＤパネルに表示させることができる。
【００９３】
［４．変形例］
上記実施の形態に係る表示装置１００では、Ｎは２であるとしたが、これに限らずに、Ｎは３以上であってもよい。例えばＮが３である場合、生成部１３０は、記憶部１２０に記憶されている三次元ＬＵＴ２１０に、３種類の異なる係数群を乗じることにより、互いに異なる出力値を有する３つの三次元ＬＵＴを生成する。そして、変換部１４０は、入力された複数のフレームのうち３枚のフレーム毎に、生成された３つの三次元ＬＵＴを用いた色変換を繰り返し行うことで、複数の変換後フレームを得る。
【００９４】
上記実施の形態に係る表示装置１００では、三次元ＬＵＴ２１０は、複数の副画素値のそれぞれについてｍ個の代表値を入力値および出力値として有する構成としたが、これに限らずに、全ての副画素値の組合せによりなる入力値および出力値を有する構成としてもよい。
【００９５】
上記実施の形態に係る表示装置１００では、第１三次元ＬＵＴ２２０および第２三次元ＬＵＴ２３０は、高輝度画素が示す画素値を、三次元ＬＵＴ２１０において変換される画素値と同じ画素値に変換するとしたが、これに限らずに、高輝度画素が示す画素値に対しても低輝度画素が示す画素値に対する処理と同様の処理が実行される三次元ＬＵＴとしてもよい。つまり、記憶部１２０に記憶されている三次元ＬＵＴ２１０の全ての出力値と、生成された第１三次元ＬＵＴの全ての出力値とは互いに異なる値に設定されていてもよい。同様に、記憶部１２０に記憶されている三次元ＬＵＴ２１０の全ての出力値と、生成された第２三次元ＬＵＴの全ての出力値とは互いに異なる値に設定されていてもよい。
【００９６】
上記実施の形態に係る表示装置１００は、表示パネルとしてＯＬＥＤ（Organic Light-Emitting Diode）を備える有機ＥＬ（Electro-Luminescence）ディスプレイであるとしたが、これに限らずに、表示パネルとして液晶パネルを備える液晶ディスプレイであってもよい。
【００９７】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の表示装置１００、表示方法などを実現するソフトウェアは、次のようなプログラムである。
【００９８】
すなわち、このプログラムは、コンピュータに、表示パネルと、映像を構成する複数のフレームのそれぞれに対して前記表示パネルの表示特性に応じた色変換を行うための三次元ルックアップテーブルを記憶している記憶部とを備える表示装置による表示方法であって、映像を示す映像信号を取得し、前記三次元ルックアップテーブルを前記記憶部から読み出し、読み出された前記三次元ルックアップテーブルを用いて、（ｉ）一つの入力フレームを構成する複数の画素のうちの所定の画素値以下の１以上の低輝度画素のそれぞれについて、当該低輝度画素が示す画素値を前記三次元ルックアップテーブルにおいて変換される画素値よりも大きい値に変換する第１三次元ルックアップテーブルと、（ｉｉ）一つの入力フレームを構成する複数の画素のうちの１以上の前記低輝度画素のそれぞれについて、当該低輝度画素が示す画素値を前記三次元ルックアップテーブルにおいて変換される画素値よりも小さい値に変換する第２三次元ルックアップテーブルとを生成し、前記複数のフレームのうちのＮ（Ｎは２以上の自然数）枚のフレーム毎に含まれる第１フレームおよび第２フレームに対して、それぞれ、前記第１三次元ルックアップテーブルを用いた第１色変換、および、前記第２三次元ルックアップテーブルを用いた第２色変換を前記Ｎ枚のフレーム毎に繰り返し行い、得られた複数の変換後フレームを順次出力し、順次出力された前記複数の変換後フレームを前記表示パネルに順次表示させる表示方法を実行させる。
【００９９】
以上のように、本開示における技術の例示として、実施の形態を説明した。そのために、添付図面および詳細な説明を提供した。
【０１００】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０１】
また、上述の実施の形態は、本開示における技術を例示するためのものであるから、請求の範囲またはその均等の範囲において種々の変更、置き換え、付加、省略などを行うことができる。
【産業上の利用可能性】
【０１０２】
本開示は、低輝度領域における各画素についても、当該画素を当該画素に適切な色で表示することができる表示装置、表示方法などとして有用である。
【符号の説明】
【０１０３】
１００    表示装置
１０１    チューナ
１０２    デコーダ
１０３    入力ＩＦ
１０４    制御回路
１０５    メモリ
１０６    表示パネル
１１０    取得部
１２０    記憶部
１３０    生成部
１４０    変換部
１５０    表示制御部
２０１    第１係数群
２０２    第２係数群
２１０    三次元ＬＵＴ
２１１    入力値
２１２    出力値
２２０    第１三次元ＬＵＴ
２２２    第１出力値
２３０    第２三次元ＬＵＴ
２３２    第２出力値
Ｆ１〜Ｆ６    フレーム
Ｆ１１〜Ｆ１６    変換後フレーム
【図１】
2020106641.tif 000003
【図２】
2020106641.tif 000004
【図３】
2020106641.tif 000005
【図４】
2020106641.tif 000006
【図５】
2020106641.tif 000007
【図６】
2020106641.tif 000008
【図７】
2020106641.tif 000009
【図８】
2020106641.tif 000010
【図９】
2020106641.tif 000011